(57)【要約】【課題】光の照射時間が増加しても生体に吸収される光の量が低下しにくい体毛用光照射装置を提供する。【解決手段】体毛用光照射装置は、光源部および制御部を有している。光源部は、制御部と接続され、制御部の指令信号に基づいて光を出力する。光源部の出力に基づいて体毛用光照射装置が出力する光である出力光は、１３５０ｎｍ〜１５５０ｎｍの波長範囲において最大の強度を有する主要ピークを有している。主要ピークを構成する成分のうちの主要ピークの頂点よりも短波長側の成分であるピーク短波長成分の積分値は、主要ピークを構成する成分のうちの主要ピークの頂点よりも長波長側の成分であるピーク長波長成分の積分値よりも大きい。【選択図】図３
2015051118.tif 000002
【特許請求の範囲】
【請求項１】
光を照射する体毛用光照射装置であって、
前記体毛用光照射装置は、光源部および制御部を有し、
前記光源部は、前記制御部と接続され、前記制御部の指令信号に基づいて光を出力し、
前記光源部の出力に基づいて前記体毛用光照射装置が出力する光である出力光は、１３５０ｎｍ〜１５５０ｎｍの波長範囲において最大の強度を有する主要ピークを有し、前記主要ピークを構成する成分のうちの前記主要ピークの頂点よりも短波長側の成分であるピーク短波長成分の積分値が、前記主要ピークを構成する成分のうちの前記主要ピークの頂点よりも長波長側の成分であるピーク長波長成分の積分値よりも大きい
体毛用光照射装置。
【請求項２】
前記主要ピークの頂点よりも短波長側における前記主要ピークの最大勾配である短波長側最大勾配は、前記主要ピークの頂点よりも長波長側における前記主要ピークの最大勾配である長波長側最大勾配よりも小さい
請求項１に記載の体毛用光照射装置。
【請求項３】
水の吸光スペクトルが１４４０ｎｍ〜１４６０ｎｍの波長範囲において最大の吸光度を有するピークである吸光ピークを有する場合、
前記水の吸光スペクトルに対する前記出力光のスペクトルである相対スペクトルは、前記長波長側最大勾配が、前記吸光ピークの頂点よりも長波長側における前記吸光ピークの最大勾配である長波長側吸光度勾配よりも大きい
請求項２に記載の体毛用光照射装置。
【請求項４】
水の吸光スペクトルが１４４０ｎｍ〜１４６０ｎｍの波長範囲において最大の吸光度を有するピークである吸光ピークを有する場合、
前記水の吸光スペクトルに対する前記出力光のスペクトルである相対スペクトルは、前記短波長側最大勾配が、前記吸光ピークの頂点よりも短波長側における前記吸光ピークの最大勾配である短波長側吸光度勾配よりも小さい
請求項２または３に記載の体毛用光照射装置。
【発明の詳細な説明】
【技術分野】
【０００１】
本発明は、体毛用光照射装置に関する。
【背景技術】
【０００２】
特許文献１に開示された体毛用光照射装置は、ＬＥＤランプを有している。このＬＥＤランプが照射する光は、近赤外領域における水の特異吸収波長においてピークを有している。特許文献１は、このような光を生体に照射することにより、生体の育毛作用が促進されやすくなることを開示している。
【先行技術文献】
【特許文献】
【０００３】
【特許文献１】国際公開第２００９／１２３１９６号
【発明の概要】
【発明が解決しようとする課題】
【０００４】
本願発明者は、上記体毛用光照射装置に次の課題が存在していることを見出した。上記体毛用光照射装置は、光の照射時間が長くなるにつれて育毛作用が促進されにくくなることがある。
【０００５】
本発明は、光の照射時間が増加しても生体に吸収される光の量が低下しにくい体毛用光照射装置を提供することを目的としている。
【課題を解決するための手段】
【０００６】
本体毛用光照射装置は、次の事項を有している。前記体毛用光照射装置は、光源部および制御部を有し、前記光源部は、前記制御部と接続され、前記制御部の指令信号に基づいて光を出力し、前記光源部の出力に基づいて前記体毛用光照射装置が出力する光である出力光は、１３５０ｎｍ〜１５５０ｎｍの波長範囲において最大の強度を有する主要ピークを有し、前記主要ピークを構成する成分のうちの前記主要ピークの頂点よりも短波長側の成分であるピーク短波長成分の積分値が、前記主要ピークを構成する成分のうちの前記主要ピークの頂点よりも長波長側の成分であるピーク長波長成分の積分値よりも大きい。
【０００７】
本願発明者は、上記積分値の関係が形成される場合、ピーク短波長成分の積分値がピーク長波長成分の積分値以下の大きさを取る場合と比較して、光の照射時間が増加しても生体に吸収される光の量が低下しにくいことを見出した。本体毛用光照射装置は、この知見に基づいて、上記のとおりの事項を有している。このため、光の照射時間が増加しても生体に吸収される光の量が低下しにくい。
【発明の効果】
【０００８】
本体毛用光照射装置は、光の照射時間が増加しても生体に吸収される光の量が低下しにくい。
【図面の簡単な説明】
【０００９】
【図１】実施形態の体毛用光照射装置のブロック図。
【図２】実施形態の光源部ユニットの断面図。
【図３】（ａ）実施形態の光のスペクトル図。（ｂ）光源部温度が上昇した場合における実施形態の光のスペクトル図。（ｃ）光源部温度がさらに上昇した場合における実施形態の光のスペクトル図。
【図４】（ａ）比較例の光のスペクトル図。（ｂ）光源部温度が上昇した場合における比較例の光のスペクトル図。（ｃ）光源部温度がさらに上昇した場合における比較例の光のスペクトル図。
【発明を実施するための形態】
【００１０】
〔１〕本体毛用光照射装置の独立した一形態は、次の事項を有している。前記体毛用光照射装置は、光源部および制御部を有している。前記光源部は、前記制御部と接続され、前記制御部の指令信号に基づいて光を出力する。前記光源部の出力に基づいて前記体毛用光照射装置が出力する光である出力光は、１３５０ｎｍ〜１５５０ｎｍの波長範囲において最大の強度を有する主要ピークを有している。前記主要ピークを構成する成分のうちの前記主要ピークの頂点よりも短波長側の成分であるピーク短波長成分の積分値は、前記主要ピークを構成する成分のうちの前記主要ピークの頂点よりも長波長側の成分であるピーク長波長成分の積分値よりも大きい。
【００１１】
〔２〕前記体毛用光照射装置に従属する一形態は、次の事項を有している。前記主要ピークの頂点よりも短波長側における前記主要ピークの最大勾配である短波長側最大勾配は、前記主要ピークの頂点よりも長波長側における前記主要ピークの最大勾配である長波長側最大勾配よりも小さい。
【００１２】
〔３〕前記体毛用光照射装置に従属する一形態は、次の事項を有している。水の吸光スペクトルは、１４４０ｎｍ〜１４６０ｎｍの波長範囲において最大の吸光度を有するピークである吸光ピークを有している。前記水の吸光スペクトルに対する前記出力光のスペクトルである相対スペクトルは、前記長波長側最大勾配が、前記吸光ピークの頂点よりも長波長側における前記吸光ピークの最大勾配である長波長側吸光度勾配よりも大きい。
【００１３】
〔４〕前記体毛用光照射装置に従属する一形態は、次の事項を有している。水の吸光スペクトルは、１４４０ｎｍ〜１４６０ｎｍの波長範囲において最大の吸光度を有するピークである吸光ピークを有している。前記水の吸光スペクトルに対する前記出力光のスペクトルである相対スペクトルは、前記短波長側最大勾配が、前記吸光ピークの頂点よりも短波長側における前記吸光ピークの最大勾配である短波長側吸光度勾配よりも小さい。
【００１４】
（実施形態）
図１は、体毛用光照射装置１の一形態のブロック図を示している。
体毛用光照射装置１は、生体に光を照射することにより、生体の育毛作用を促進させることに貢献する。育毛は、生体における体毛の再生および成長が促進される現象を示す。育毛作用は、育毛を促進させる生体の作用を示す。生体は、光の照射により育毛作用が促進されるにつれて、育毛が促進されやすくなる。
【００１５】
体毛用光照射装置１は、本体ユニット１０および光源部ユニット７０を有している。本体ユニット１０は、複数の構成要素を有している。本体ユニット１０の複数の構成要素は、一例として、本体ハウジング２０、電源部３０、操作部４０、制御部５０、および、パルス発生部６０を含む。光源部ユニット７０は、複数の構成要素を有している。光源部ユニット７０の複数の構成要素は、一例として、光源部ハウジング７１、配光レンズ７２を、および、光源部８０含む。
【００１６】
体毛用光照射装置１は、複数の電気ブロックを有している。電気ブロックは、電源部３０から供給される電力に基づいて駆動する。操作部４０、制御部５０、パルス発生部６０、および、光源部ユニット７０は、電気ブロックに該当する。
【００１７】
本体ハウジング２０は、一例として、樹脂材料により形成されている。本体ハウジング
２０は、一例として、手持型の形態を有している。本体ハウジング２０は、本体ユニット１０の構成要素を収容するための空間を内部に有している。
【００１８】
電源部３０は、本体ハウジング２０の内部に配置されている。電源部３０は、本体ハウジング２０に取り付けられている。電源部３０は、操作部４０、制御部５０、パルス発生部６０、および、光源部ユニット７０のそれぞれと電気的に接続されている。電源部３０は、１次電池または２次電池の電力を各電気ブロックに供給する。
【００１９】
操作部４０は、本体ハウジング２０上に形成されている。操作部４０は、一例として、ボタン型の形態を有している。操作部４０は、電源操作部４１、出力操作部４２、照射時間設定部４３、および、周波数設定部４４を有している。
【００２０】
電源操作部４１は、電源部３０と電気的に接続されている。電源操作部４１は、操作者に操作されることにより操作位置が変更される。電源部３０は、電源操作部４１の操作位置がオン位置のとき、各電気ブロックに電力を供給する。電源部３０は、電源操作部４１の操作位置がオフ位置のとき、各電気ブロックに電力を供給しない。
【００２１】
出力操作部４２は、制御部５０と電気的に接続されている。出力操作部４２は、操作者に操作される毎に操作信号ＳＴを制御部５０に出力する。操作信号ＳＴは、出力操作部４２が操作されたことを示す情報を含む。
【００２２】
照射時間設定部４３は、制御部５０と電気的に接続されている。照射時間設定部４３は、操作者に操作される毎に時間設定信号ＳＭを制御部５０に出力する。時間設定信号ＳＭは、光源部８０に光を出力させる時間である規定時間を指定するための情報を含む。時間設定信号ＳＭの内容は、照射時間設定部４３の操作回数に応じて変化する。時間設定信号ＳＭは、一例として、５分、１０分、および、２０分のいずれかの規定時間を指定する。
【００２３】
周波数設定部４４は、制御部５０と電気的に接続されている。周波数設定部４４は、操作者に操作される毎に変更要求信号ＳＣを制御部５０に出力する。変更要求信号ＳＣは、光源部８０が光を出力する周波数（以下、「出力周波数ＴＬ」）を指定するための情報を含む。変更要求信号ＳＣの内容は、周波数設定部４４の操作回数に応じて変化する。変更要求信号ＳＣは、一例として、０Ｈｚ、２００Ｈｚ、５００Ｈｚ、および、１０００Ｈｚのいずれかの出力周波数ＴＬを指定する。なお、出力周波数ＴＬが０Ｈｚを取る場合、光源部８０は、連続的に光を照射する形態である連続照射形態を形成する。
【００２４】
光源部ハウジング７１は、一例として、樹脂材料により形成されている。光源部ハウジング７１は、本体ハウジング２０との結合および分離が可能な構造を有している。光源部ハウジング７１は、光源部ユニット７０の構成要素を収容するための空間を内部に有している。
【００２５】
配光レンズ７２は、一例として、ポリメチルメタクリレート樹脂により形成されている。配光レンズ７２は、一例として、台形円錐形状を有している。配光レンズ７２は、光源部ハウジング７１の開口部に取り付けられている。
【００２６】
光源部８０は、光源部ハウジング７１の内部に配置されている。光源部８０は、光源部ハウジング７１に取り付けられている。光源部８０は、制御部５０と電気的に接続されている。光源部８０は、制御部５０から受信した出力実行信号ＳＡに基づいて、光を出力する。光源部８０は、制御部５０から受信した出力停止信号ＳＢに基づいて、光の出力を停止する。光源部８０から照射された光は、配光レンズ７２を介して体毛用光照射装置１の外部に出力される。体毛用光照射装置１の外部に出力された光（以下、「出力光」）は、
生体に照射される。
【００２７】
パルス発生部６０は、本体ハウジング２０の内部に配置されている。パルス発生部６０は、制御部５０と電気的に接続されている。パルス発生部６０は、制御部５０から受信した出力変更信号ＳＤに基づいて、光源部８０に入力される出力実行信号ＳＡをパルス変調する。光源部８０が出力する光の周波数は、出力実行信号ＳＡがパルス変調されることにより変化する。
【００２８】
制御部５０は、本体ハウジング２０の内部に配置されている。制御部５０は、操作信号ＳＴ、時間設定信号ＳＭ、および、変更要求信号ＳＣに基づいて、光源部ユニット７０の動作を制御する。
【００２９】
制御部５０は、操作信号ＳＴを受信したことに基づいて、光源部８０に出力実行信号ＳＡまたは出力停止信号ＳＢを出力する。制御部５０は、出力実行信号ＳＡおよび出力停止信号ＳＢを交互に出力する。出力実行信号ＳＡは、光源部８０に光を出力させるための情報を含む。出力停止信号ＳＢは、光源部８０による光の出力を停止させるための情報を含む。
【００３０】
制御部５０は、光源部８０に光の出力を開始させた後、光源部８０が光を照射した時間をカウントする。制御部５０は、カウントした時間が、時間設定信号ＳＭに基づいて設定した規定時間に達したとき、光源部８０に出力停止信号ＳＢを出力する。
【００３１】
制御部５０は、変更要求信号ＳＣを受信したことに基づいて、パルス発生部６０に出力変更信号ＳＤを出力する。出力変更信号ＳＤは、変更要求信号ＳＣに含まれる出力周波数ＴＬの情報に対応した出力周波数ＴＬの情報を含む。
【００３２】
図２は、光源部ユニット７０の一形態の断面図を示している。
光源部ユニット７０は、光源部ハウジング７１、配光レンズ７２、および、光源部８０の他に、プリント基板７３、パターン７４、レジスト７５、および、導電部品７６を有している。
【００３３】
プリント基板７３は、光源部ハウジング７１の内部に配置されている。プリント基板７３は、光源部ハウジング７１に取り付けられている。プリント基板７３は、一例として、紙にフェノールが含浸された樹脂により形成されている。パターン７４は、プリント基板７３上に形成されている。レジスト７５は、パターン７４上に形成されている。レジスト７５は、パターン７４の一部を露出させている。導電部品７６は、一例として、ワイヤーの形態を有している。導電部品７６は、パターン７４と接続されている。
【００３４】
光源部８０は、一例として、ＬＥＤランプの形態を有している。光源部８０は、複数の構成要素を有している。光源部８０の複数の構成要素は、ＬＥＤチップ８１、リフレクター８２、および、封止材料８３を含む。
【００３５】
ＬＥＤチップ８１は、表面実装型の形態を有している。ＬＥＤチップ８１は、プリント基板７３に実装されている。ＬＥＤチップ８１は、導電部品７６によりパターン７４と接続されている。ＬＥＤチップ８１は、封止材料８３により覆われている。
【００３６】
リフレクター８２は、レジスト７５上に配置されている。リフレクター８２は、レジスト７５に取り付けられている。リフレクター８２は、一例として、金属材料、樹脂材料、または、高い反射率を有する材料により形成されている。高い反射率を有する材料の一例は、セラミックである。リフレクター８２は、ＬＥＤチップ８１から照射された光を配光
レンズ７２に向けて反射する。
【００３７】
封止材料８３は、リフレクター８２の反射面により形成された空間に充填されている。封止材料８３は、一例として、シリコン樹脂、エポキシ樹脂、または、高い透過率を有する樹脂材料により形成されている。高い透過率を有する樹脂材料は、一例として、ガラスを含む基材、および、光分散剤が混合されることにより形成される。
【００３８】
図３を参照して、体毛用光照射装置１の出力光について説明する。
図３の一点鎖線は、水の吸光スペクトルを示している。この吸光スペクトルは、ピークの頂点の吸光度を基準の吸光度として、１１００ｎｍ〜１８００ｎｍの波長範囲における吸光度を基準の吸光度に対する相対値として表示している。
【００３９】
図３の実線は、体毛用光照射装置１の出力光のスペクトル（以下、「出力スペクトル」）を示している。この出力スペクトルは、ピークの頂点の強度を基準の強度として、１１００ｎｍ〜１８００ｎｍの波長範囲における強度を基準の強度に対する相対値として表示している。
【００４０】
図３は、吸光スペクトルにおける基準の吸光度、および、出力スペクトルにおける基準の強度をそれぞれ「１」として、これらの２つのスペクトルを重ね合わせたスペクトル図を示している。このスペクトル図における出力スペクトルは、吸光スペクトルを基準のスペクトルとした相対スペクトルに相当する。
【００４１】
図３の吸光スペクトルおよび出力スペクトルは、標準的な温度環境下において得られるスペクトルを示している。標準的な温度環境は、一例として、雰囲気温度が室温である場合を示している。
【００４２】
水の吸光スペクトルについて説明する。
吸光スペクトルは、１１５０ｎｍあたりから吸光度が有意な大きさを示している。吸光スペクトルは、１１５０ｎｍ〜１３７０ｎｍの波長範囲において、波長が長くなるにつれて吸光度がわずかに増加する。吸光スペクトルは、１３７０ｎｍ〜１５４０ｎｍの範囲において、吸光ピークを有している。吸光ピークは、１１００ｎｍ〜１８００ｎｍの波長範囲において最大の吸光度を有するピークを示している。吸光ピークは、１３７０ｎｍあたりに吸光ピークの短波長側の根本部分が存在している。短波長側の根本部分は、凸状の変曲点を形成している。吸光ピークは、１５４０ｎｍあたりに吸光ピークの長波長側の根本部分が存在している。長波長側の根本部分は、凹状の変曲点を形成している。吸光ピークは、１４５０ｎｍにピークの頂点が存在している。吸光ピークは、１４９５ｎｍにおいて凸状の変曲点を有し、１５４０ｎｍあたりにおいて凹状の変曲点を有している。吸光スペクトルは、１７５０ｎｍ〜１８００ｎｍの波長範囲において別のピークを有している。
【００４３】
出力スペクトルについて説明する。
図３（ａ）に示される出力スペクトル（以下、「基準出力スペクトル」）は、ＬＥＤチップ８１の温度（以下、「光源温度」）が基準温度領域に属する場合のスペクトルを示している。図３（ｂ）に示される出力スペクトルは、光源温度が基準温度領域よりも高い第１温度領域に属する場合のスペクトルを示している。図３（ｃ）に示される出力スペクトルは、光源温度が第１温度領域よりも高い第２温度領域に属する場合のスペクトルを示している。基準温度は、標準的な温度環境下においてＬＥＤチップ８１が十分に放熱しているときの光源温度を示している。
【００４４】
基準出力スペクトルは、１２００ｎｍ〜１６００ｎｍの波長範囲において、有意な成分を有している。基準出力スペクトルは、１２００ｎｍ〜１６００ｎｍの波長範囲外におい
て、有意な成分を有していない。なお、有意な成分は、育毛作用の促進に影響を及ぼす可能性を有する成分を示す。
【００４５】
基準出力スペクトルは、１２００ｎｍ〜１６００ｎｍの波長範囲において、最大の強度を有するピークである主要ピークを有している。基準出力スペクトルは、１２００ｎｍ〜１６００ｎｍの波長範囲において、主要ピーク以外の有意なピークを有していない。すなわち、基準出力スペクトルは、１２００ｎｍ〜１６００ｎｍの波長範囲において単一のピークを有している。なお、有意なピークは、育毛作用の促進に影響を及ぼす可能性を有するピークを示している。
【００４６】
主要ピークは、一例として、吸光ピークの波長と実質的に一致する１４５０ｎｍにおいて、頂点を有している。主要ピークは、１２００ｎｍあたりに主要ピークの短波長側の根本部分が存在している。主要ピークは、１６００ｎｍあたりに主要ピークの長波長側の根本部分が存在している。主要ピークは、１４５０ｎｍ以外の波長において頂点を取り得る。主要ピークの頂点が取り得る好ましい範囲は、一例として、１３５０ｎｍ〜１５５０ｎｍの波長範囲である。
【００４７】
主要ピークは、１３３０ｎｍ〜１３６０ｎｍの波長範囲において、凸状の変曲点を有している。主要ピークは、１３７０ｎｍ〜１３９０ｎｍの波長範囲において、凹状の変曲点を有している。主要ピークは、１３９０ｎｍ〜１４１０ｎｍの波長範囲において、凸状の変曲点を有している。主要ピークは、１４１０ｎｍ〜１４２０ｎｍの波長範囲において、凹状の変曲点を有している。主要ピークは、１４２０ｎｍ〜１４３０ｎｍの波長範囲において、凸状の変曲点を有している。主要ピークは、１４３０ｎｍ〜１４４０ｎｍの波長範囲において、凹状の変曲点を有している。主要ピークは、１４５０ｎｍ〜１６００ｎｍの波長範囲において、明確な変曲点を有していない。主要ピークの頂点の強度は、一例として、６０μＷ／ｃｍ２／ｎｍである。
【００４８】
主要ピークは、少なくとも以下の４つの特徴を有している。
第１の特徴は、次のとおり記述される。主要ピークを構成する成分のうちの主要ピークの頂点よりも短波長側の成分であるピーク短波長成分の積分値が、主要ピークを構成する成分のうちの主要ピークの頂点よりも長波長側の成分であるピーク長波長成分の積分値よりも大きい。
【００４９】
ピーク短波長成分は、主要ピークの短波長側の根本部分から主要ピークの頂点までの成分を示している。ピーク短波長成分の積分値の一例は、５４００μＷ／ｃｍ２である。ピーク長波長成分は、主要ピークの頂点から主要ピークの長波長側の根本部分までの成分を示している。ピーク長波長成分の積分値の一例は、４３３８μＷ／ｃｍ２である。
【００５０】
第２の特徴は、次のとおり記述される。主要ピークの頂点よりも短波長側における主要ピークの最大勾配である短波長側最大勾配が、主要ピークの頂点よりも長波長側における主要ピークの最大勾配である長波長側最大勾配よりも小さい。
【００５１】
短波長側最大勾配は、主要ピークの頂点と、主要ピークの頂点よりも短波長側の所定の波長との間において確認される。短波長側最大勾配は、一例として、１４２０ｎｍ〜１４５０ｎｍの波長範囲において確認される。短波長側最大勾配の一例は、０．５９μＷ／ｃｍ２／ｎｍ２である。
【００５２】
長波長側最大勾配は、主要ピークの頂点と、主要ピークの頂点よりも長波長側の所定の波長との間において確認される。長波長側最大勾配は、一例として、１４５０ｎｍ〜１５１０ｎｍの波長範囲において確認される。長波長側最大勾配の一例は、１．１μＷ／ｃｍ
２／ｎｍ２である。
【００５３】
第３の特徴は、次のとおり記述される。長波長側最大勾配が、水の吸光ピークの頂点よりも長波長側における吸光ピークの最大勾配である長波長側吸光度勾配よりも大きい。長波長側吸光度勾配は、一例として、１４９０ｎｍ〜１５３０ｎｍの波長範囲において確認される。
【００５４】
第４の特徴は、次のとおり記述される。短波長側最大勾配が、水の吸光ピークの頂点よりも短波長側における吸光ピークの最大勾配である短波長側吸光度勾配よりも小さい。長波長側吸光度勾配は、一例として、１４２０ｎｍ〜１４５０ｎｍの波長範囲において確認される。
【００５５】
本願発明者は、光の照射時間と生体に吸収される光の量（以下、「吸収光量」）との関係について検討し、その結果から得られた知見に基づいて、上記の特徴を有する出力スペクトルを規定した。以下、本願発明者が検討した事項の詳細について説明する。
【００５６】
従来の体毛用光照射装置は、光の照射時間が長くなるにつれて育毛作用が促進されにくくなる。その理由は、吸収光量の低下に起因していると考えられる。吸収光量が低下する理由は、以下のように考えられる。
【００５７】
生体は、体毛用光照射装置から出力された光のうち、主として、水の吸光スペクトルと重畳する成分を吸収する。また生体は、体毛用光照射装置から出力された光のうち、水の吸光ピークと重畳する成分を特に吸収しやすい。このため、吸収光量は、主として、体毛用光照射装置から出力される光の量、および、出力された光のうちの水の吸光スペクトルと重畳する部分の量に依存する。
【００５８】
一方、光源部が温度依存性を有する場合、光源部の温度が上昇することにより、光のスペクトルが基準のスペクトルに対して長波長側にシフトする現象（以下、「スペクトルシフト」）が生じる。スペクトルシフトによりスペクトルがシフトする量（以下、「シフト量」）は、光源部の温度が高くなることにともない増加しやすくなる。光源部の温度は、光の照射時間が長くなることにともない上昇しやすくなる。このため、光の照射時間が長くなるにつれてシフト量が増加しやすくなる。
【００５９】
シフト量が増加した場合、体毛用光照射装置の基準のスペクトルと、体毛用光照射装置から出力される光のスペクトルとのずれが大きくなる。このため、体毛用光照射装置から出力された光のうち、水の吸光スペクトルと重畳する部分が減少しやすくなる。出力された光と水の吸光スペクトルとの重畳部分が減少した場合には、体毛用光照射装置から出力される光の量が変化していなくとも、吸収光量が低下する。このため、育毛作用が促進されにくくなると考えられる。
【００６０】
本願発明者は、スペクトルシフトにより光のスペクトルのシフト量が増加しても、水の吸光スペクトルとの重畳部分が減少しにくい光のスペクトルを検討し、その結果から次の知見を得た。ピーク短波長成分の積分値がピーク長波長成分の積分値よりも大きい場合、ピーク短波長成分の積分値がピーク長波長成分の積分値以下の大きさを取る場合と比較して、スペクトルシフトによる光のスペクトルのシフト量が増加しても吸収光量が低下しにくい。その理由は、次のように推測される。
【００６１】
スペクトルシフトにおけるスペクトルのシフト方向が一方向（長波長側）を取るため、スペクトルのシフト量が増加した場合、ピーク長波長成分は、ピーク短波長成分と比較して水の吸光スペクトルと重畳しなくなる部分が増加しやすい。一方、ピーク短波長成分は
、ピーク長波長成分よりも短波長側に存在しているため、スペクトルのシフト量の増加にともない水の吸光スペクトルと重畳しなくなる部分が、ピーク長波長成分よりも増加しにくい。このため、ピーク短波長成分の積分値がピーク長波長成分の積分値よりも大きい場合、スペクトルシフトが生じても吸収光量が低下しにくい。このため、光の照射時間が増加しても育毛作用を促進する効果が低下しにくい。
【００６２】
本願発明者は、比較例としての比較例光照射装置が出力する光のスペクトル（以下、「比較スペクトル」）との対比に基づいて、スペクトルシフトが吸収光量に及ぼす影響について確認した。
【００６３】
図４を参照して、比較スペクトルについて説明する。
図４の一点鎖線は、水の吸光スペクトルを示している。この吸光スペクトルは、ピークの頂点の吸光度を基準の吸光度として、１１００ｎｍ〜１８００ｎｍの波長範囲における吸光度を基準の吸光度に対する相対値として表示している。
【００６４】
図４の実線は、比較例光照射装置の比較スペクトルを示している。この出力スペクトルは、ピークの頂点の強度を基準の強度として、１１００ｎｍ〜１８００ｎｍの波長範囲における強度を基準の強度に対する相対値として表示している。
【００６５】
図４の吸光スペクトルおよび比較スペクトルは、標準的な温度環境下において得られるスペクトルを示している。図４（ａ）に示される比較スペクトル（以下、「基準比較スペクトル」）は、光源温度が基準温度領域に属する場合のスペクトルを示している。図４（ｂ）に示される比較スペクトルは、光源温度が第１温度領域に属する場合のスペクトルを示している。図４（ｃ）に示される比較スペクトルは、光源温度が第２温度領域に属する場合のスペクトルを示している。
【００６６】
基準比較スペクトルは、１２００ｎｍ〜１６００ｎｍの波長範囲において、有意な成分を有している。基準比較スペクトルは、１２００ｎｍ〜１６００ｎｍの波長範囲外において、有意な成分を有していない。
【００６７】
基準比較スペクトルは、１２００ｎｍ〜１６００ｎｍの波長範囲において、最大の強度を有するピークである比較ピークを有している。基準比較スペクトルは、１２００ｎｍ〜１６００ｎｍの波長範囲において、比較ピーク以外の有意なピークを有していない。すなわち、基準比較スペクトルは、１２００ｎｍ〜１６００ｎｍの波長範囲において単一のピークを有している。
【００６８】
比較ピークは、比較ピークの頂点よりも短波長側の成分である比較ピーク短波長成分、および、比較ピークの頂点よりも長波長側の成分である比較ピーク長波長成分を有している。比較ピークは、比較ピークの頂点を垂直に通過する対称線に対して実質的に線対称の形状を有している。すなわち、比較ピーク短波長成分および比較ピーク長波長成分は、対称線を基準とする線対称の関係を有している。
【００６９】
比較ピークは、一例として、吸光ピークの波長と実質的に一致する１４５０ｎｍにおいて、頂点を有している。比較ピークは、１３００ｎｍあたりに比較ピークの短波長側の根本部分が存在している。比較ピークは、１６００ｎｍあたりに比較ピークの長波長側の根本部分が存在している。比較ピークの頂点の強度は、一例として、６０μＷ／ｃｍ２／ｎｍである。
【００７０】
図４を参照して、比較スペクトルのスペクトルシフトについて説明する。
比較例光照射装置は、操作者による出力操作部の操作に基づいて、光源部に光の出力を
開始させる。光源部が光を出力した時間である照射時間が所定時間未満の場合、光源温度が基準温度領域に属することにより、比較スペクトルが図４（ａ）の基準比較スペクトルを示す。照射時間が第１所定時間以上の場合、光源温度が第１温度領域に属することにより、スペクトルシフトが生じる。比較スペクトルは、光源温度の上昇にともない、一例として、図４（ｂ）に示される比較スペクトルに変化する。照射時間が第１所定時間よりも長い第２所定時間以上の場合、光源温度がさらに上昇して第２温度領域に属する。比較スペクトルは、光源温度の上昇にともない、一例として、図４（ｃ）に示される比較スペクトルに変化する。
【００７１】
比較ピーク長波長成分および比較ピーク短波長成分は、図４（ａ）の基準比較スペクトルから図４（ｂ）の比較スペクトルに変化する過程において、水の吸光ピークと重畳する部分が減少する。比較ピーク長波長成分および比較ピーク短波長成分は、図４（ｂ）の比較スペクトルから図４（ｃ）の比較スペクトルに変化する過程において、水の吸光ピークと重畳する部分がさらに減少する。
【００７２】
図４の斜線部分は、比較例光照射装置の光の吸収光量を示している。吸収光量は、図４（ａ）の基準比較スペクトル、図４（ｂ）の比較スペクトル、および、図４（ｃ）の比較スペクトルの順に少なくなる。すなわち、吸収光量は、照射時間が長くなるにつれて少なくなる。なお、比較ピークの各波長における吸収光量は、主として、各波長における光の強度と水の吸光度との積により求めることができる。
【００７３】
図３を参照して、出力スペクトルのスペクトルシフトについて説明する。
制御部５０は、操作者による出力操作部４２の操作に基づいて、光源部８０に光の出力を開始させる。光源部８０が光を出力している時間である照射時間が所定時間未満の場合、光源温度が基準温度領域に属することにより、出力スペクトルが図３（ａ）の基準出力スペクトルを示す。照射時間が第１所定時間以上の場合、光源温度が第１温度領域に属することにより、スペクトルシフトが生じる。出力スペクトルは、光源温度の上昇にともない、一例として、図３（ｂ）に示される出力スペクトルに変化する。照射時間が第２所定時間以上の場合、光源温度がさらに上昇して第２温度領域に属する。出力スペクトルは、光源温度の上昇にともない、一例として、図３（ｃ）に示される出力スペクトルに変化する。
【００７４】
ピーク長波長成分は、図３（ａ）の基準出力スペクトルから図３（ｂ）の出力スペクトルに変化する過程において、水の吸光ピークと重畳する部分が減少する。ピーク短波長成分は、図３（ａ）の基準出力スペクトルから図３（ｂ）の出力スペクトルに変化する過程において、水の吸光ピークと重畳する部分が増加する。このため、主要ピーク全体としては、比較ピークと比較して、水の吸光ピークとの重畳部分が減少しにくい。このため、出力スペクトルは、比較スペクトルと比較して、光の照射時間が増加しても生体に吸収される光の量が低下しにくい。
【００７５】
ピーク長波長成分は、図３（ｂ）の出力スペクトルから図３（ｃ）の出力スペクトルに変化する過程において、水の吸光ピークと重畳する部分がさらに減少する。ピーク短波長成分は、図３（ｂ）の出力スペクトルから図３（ｃ）の出力スペクトルに変化する過程において、水の吸光ピークと重畳する部分が減少する。ただし、ピーク短波長成分の面積が比較ピークの短波長成分よりも大きいため、主要ピーク全体としては、比較ピークと比較して、水の吸光スペクトルとの重畳部分が減少しにくい。このため、出力スペクトルは、比較スペクトルと比較して、光の照射時間が増加しても生体に吸収される光の量が低下しにくい。
【００７６】
図３の斜線部分は、体毛用光照射装置１の出力光の吸収光量を示している。吸収光量は
、一例として、図３（ａ）の基準出力スペクトル、および、図３（ｂ）の出力スペクトルにおいて略同じ大きさを示す。図３（ｃ）の出力スペクトルの吸収光量は、図３（ａ）の基準出力スペクトル、および、図３（ｂ）の出力スペクトルの吸収光量よりも少ない。なお、主要ピークの各波長における吸収光量は、主として、各波長における光の強度と水の吸光度との積により求めることができる。
【００７７】
体毛用光照射装置１は、以下の効果を奏する。
（１）出力光の主要ピークは、ピーク短波長成分の積分値がピーク長波長成分の積分値よりも大きい。このため、スペクトルシフトが生じた場合において、主要ピークと水の吸光ピークとの重畳部分が減少しにくくなる。このため、光の照射時間が増加しても吸収光量が低下しにくくなる。
【００７８】
（２）出力光の主要ピークは、短波長側最大勾配が長波長側最大勾配よりも小さい。このため、スペクトルシフトが生じた場合において、ピーク短波長成分と水の吸光ピークとの重畳部分が減少しにくい。このため、上記（１）の効果がより高められる。
【００７９】
（３）出力光の主要ピークは、長波長側最大勾配が吸光ピークの長波長側吸光度勾配よりも大きい。このため、スペクトルシフトが生じた場合において、ピーク長波長成分において水の吸光ピークと重畳しない部分が増加しにくい。このため、生体に照射された出力光の量に対する吸収光量の割合が低下しにくい。
【００８０】
（４）出力光の主要ピークは、短波長側最大勾配が吸光ピークの短波長側吸光度勾配よりも小さい。このため、スペクトルシフトが生じた場合において、ピーク短波長成分と水の吸光ピークとの重畳部分が減少しにくい。このため、上記（１）の効果がより高められる。
【００８１】
（５）体毛用光照射装置１は、仮想光照射装置に対して以下の点において有利な効果を奏する。仮想光照射装置は、仮想出力光を出力する。仮想出力光のスペクトルは、体毛用光照射装置１の出力スペクトルと次の点において相違し、その他の点において実質的に同じ波形を有している。
【００８２】
仮想出力光のスペクトルは、１２００ｎｍ〜１６００ｎｍの波長範囲において、最大の強度を有するピーク（以下、「仮想ピーク」）を有している。仮想ピークは、仮想ピークの頂点を垂直に通過する対称線に対して、実質的に線対称の関係を有している。
【００８３】
仮想ピークの頂点よりも短波長側の成分である仮想ピーク短波長成分は、体毛用光照射装置１の主要ピークのピーク短波長成分と同じ形状を有している。仮想ピークの頂点よりも長波長側の成分である仮想ピーク長波長成分は、上記対称線を基準として、仮想ピーク短波長成分と線対称の関係を形成している。このため、仮想ピーク長波長成分の積分値は、体毛用光照射装置１のピーク長波長成分の積分値よりも大きい。このため、仮想ピーク長波長成分は、体毛用光照射装置１のピーク長波長成分と比較して、吸光ピークとの重畳部分が大きくなる。
【００８４】
一方、仮想ピーク長波長成分は、吸光ピークの頂点に対してスペクトルシフトにおけるシフト方向側に存在しているため、吸光ピークとの重畳部分を形成することに寄与する割合が仮想ピーク短波長成分よりも小さい。すなわち、仮想ピーク長波長成分は、吸光ピークとの重畳部分を形成する側面において、仮想ピーク短波長成分よりも効率が低い。
【００８５】
他方、仮想出力光は、仮想出力光のスペクトルにおける全体の積分値が体毛用光照射装置１の出力スペクトルにおける全体の積分値よりも大きい。このため、仮想光照射装置は
、光の出力に用いられる電気エネルギーが大きくなる。このため、仮想光照射装置の光源部は、体毛用光照射装置１の光源部８０と比較して高温化しやすい。このため、仮想光照射装置は、スペクトルシフトが生じやすい。
【００８６】
このように、仮想光照射装置によれば、仮想ピーク長波長成分の積分値が大きいことにより、吸光ピークとの重畳部分を確保しやすくなる側面が存在する一方、消費エネルギーの増加にともないスペクトルシフトが促進されやすくなる。このため、スペクトルシフトが生じた場合における仮想ピークと水の吸光ピークとの重畳部分の形成に関する効率が低くなるおそれが高い。
【００８７】
一方、体毛用光照射装置１は、ピーク長波長成分の積分値がピーク短波長成分の積分値よりも小さい。このため、主要ピークと水の吸光ピークとの重畳部分を確保する側面において、仮想光照射装置と比較して次の２点において有利な効果が得られやすい。
【００８８】
１つ目の有利な効果は、次のとおり記述される。主要ピークは、ピーク短波長成分よりも重畳部分の形成に対する寄与度が低いピーク長波長成分の積分値が小さい。このため、仮想光照射装置と比較して、主要ピークと水の吸光ピークとの重畳部分を確保するために消費するエネルギーが小さくなりやすい。
【００８９】
２つ目の有利な効果は、次のとおり記述される。主要ピークのピーク長波長成分の積分値は、仮想ピークの仮想ピーク長波長成分の積分値よりも小さい。このため、仮想光照射装置よりも光の出力に用いられる電気エネルギーが小さくなる。このため、スペクトルシフトが生じた場合において、シフト量が増加しにくい。このため、仮想光照射装置と比較して、主要ピークと水の吸光ピークとの重畳部分を確保するために消費するエネルギーが小さくなりやすい。
【００９０】
（その他の実施形態）
本体毛用光照射装置は、実施形態とは異なるその他の実施形態を含む。その他の実施形態は、一例として、以下に示される実施形態の変形例を含む。なお、以下の各変形例は、技術的に矛盾しない範囲において互いに組み合わせることができる。
【００９１】
・電源部３０が、商用電源の交流電流を直流電流に変換し、変換後の電力を各電気ブロックに供給する。
・操作部４０が、一例として、スイッチまたはタッチパネルの形態を有する。
【００９２】
・ＬＥＤランプが砲弾型の形態を有する。
・出力光が、次の特徴を有している。出力光の主要ピークは、主要ピークの頂点よりも短波長側に存在する主要ピークの基点である短波長側基点、および、主要ピークの頂点よりも長波長側に存在する主要ピークの基点である長波長側基点を有している。主要ピークは、短波長側基点と主要ピークの頂点とを結ぶ２点により規定される短波長側２点間勾配を有する。主要ピークは、主要ピークの頂点と長波長側基点とを結ぶ２点により規定される長波長側２点間勾配を有する。短波長側２点間勾配は、長波長側２点間勾配よりも小さい。
【００９３】
・主要ピークの頂点は、光源温度が基準温度領域、第１温度領域、第２温度領域、および、その他の温度領域のいずれかの温度領域に属する場合において、１３５０ｎｍ〜１５５０ｎｍの波長範囲に存在することが好ましい。主要ピークの頂点は、光源温度が上記温度領域のいずれかの温度領域に属するとき、１４００ｎｍ〜１５００ｎｍの波長範囲に存在することがより好ましい。
【００９４】
・主要ピークの頂点は、光源温度が主要温度領域に属するとき、１３５０ｎｍ〜１５５０ｎｍの波長範囲に存在することが好ましい。主要ピークの頂点は、光源温度が主要温度領域に存在するとき、１４００ｎｍ〜１５００ｎｍの波長範囲に存在することがより好ましい。主要温度領域は、体毛用光照射装置１の使用開始から使用終了までの期間において光源温度が存在する時間が最も長い温度領域を示す。
【００９５】
例えば、体毛用光照射装置１の使用開始から使用終了までの期間において、光源温度が基準温度領域、第１温度領域、および、第２温度領域の順に遷移する場合を想定する。この場合、光源温度が第１温度領域に存在する時間が、光源温度が基準温度領域および第２温度領域に存在する時間よりも長い場合、第１温度領域が主要温度領域に該当する。
【００９６】
主要温度領域は、体毛用光照射装置１に対して設定される使用条件に基づいて、予め規定することができる。主要温度領域が、照射時間設定部４３の操作に応じて選択される規定時間に応じて異なる場合、例えば、複数の規定時間のうちの１つの規定時間を体毛用光照射装置１の使用条件に含める。そして、この使用条件に基づいて、主要温度領域を規定することができる。
【００９７】
・上記変形例は、主要温度領域との関係に基づいて主要ピークの頂点が取り得る好ましい波長範囲を規定している。この変形例は、さらに以下の（ａ）および（ｂ）の少なくとも一方の構成を取り得る。
【００９８】
（ａ）ピーク短波長成分の積分値、および、ピーク長波長成分の積分値の差が、実施形態の出力光スペクトルにおけるピーク短波長成分の積分値、および、ピーク長波長成分の積分値の差よりも小さい。すなわち、主要ピークの全体的な形状が、実施形態の主要ピークの全体的な形状と比較して、主要ピークの頂点を垂直に通過する対称線に対する対称性が高い。
【００９９】
（ｂ）短波長側最大勾配および長波長側最大勾配の差が、実施形態の出力光スペクトルにおける短波長側最大勾配および長波長側最大勾配の差よりも小さい。すなわち、主要ピークの全体的な形状が、実施形態の主要ピークの全体的な形状と比較して、主要ピークの頂点を垂直に通過する対称線に対する対称性が高い。
【０１００】
（実施例）
本願発明者は、以下に説明する育毛実証試験を実施することにより、実施形態の体毛用光照射装置１により得られる育毛作用の促進効果、および、比較例光照射装置により得られる育毛作用の促進効果の相違を確認した。なお、比較例光照射装置が出力する光は、上述のとおり、図４に示される比較スペクトルを有している。
【０１０１】
育毛実証試験は、成人男性の下肢を光の照射対象部位として用いた。育毛実証試験は、照射対象部位のサンプル数を４に設定した。育毛実証試験は、照射対象部位の一部に観察対象部位を形成した。育毛実証試験は、照射対象部位の所定部位における体毛の全部を剃ることにより、照射対象部位に観察対象部位を形成した。照射対象部位の観察対象部位は、４ｃｍ×４ｃｍの範囲を有している。
【０１０２】
育毛実証試験は、各種の実験条件を規定し、規定した実験条件下において照射対象部位の観察対象部位に光を照射した。育毛実証試験は、複数の実験条件として、照射日程、照射時間、出力周波数、および、観察時期を以下のとおり規定した。
【０１０３】
育毛実証試験は、照射日程として、５日間を設定した。育毛実証試験は、照射日程の５日間のそれぞれの日において、規定された照射時間および出力周波数に基づく光の照射を
１回にわたり実施した。
【０１０４】
育毛実証試験は、照射時間として、５分、１０分、および、２０分の３種類を設定した。照射時間は、体毛用光照射装置１による観察対象部位への光の照射を行う１日あたりの時間を示している。
【０１０５】
育毛実証試験は、出力周波数として、０Ｈｚ（連続照射）、１００Ｈｚ、および、５００Ｈｚの３種類を設定した。出力周波数は、照射対象部位に照射される光の出力周波数ＴＬを示している。
【０１０６】
育毛実証試験は、観察時期として、開始前、１０日、２０日、および、３０日の４種類を設定した。観察時期は、照射対象部位に対して最初に光を照射した日の翌日を第１日目として計算する。
【０１０７】
育毛実証試験は、各観察時期において、照射対象部位における毛の成長度合を評価するため、毛の本数、毛の太さ、および、毛の長さの３つの項目の変化を観察した。毛の太さは、毛の基部の直径を示している。毛の基部は、皮膚から発毛した毛のうちの皮膚に最も近い部分を示している。
【０１０８】
本願発明者は、照射時間、出力周波数、および、観察時期を組み合わせて育毛実証試験の試験条件を設定し、実施例および比較例のそれぞれにおいて同一の試験条件に基づいて試験を実施した。実施例における育毛実証試験の結果を［表１］に示す。比較例における育毛実証試験の結果を［表２］に示す。
【０１０９】
【表１】
2015051118.tif 000003
【０１１０】
【表２】
2015051118.tif 000004
【０１１１】
［表１］および［表２］は、以下の事項を示している。
実施例における毛の本数は、比較例における毛の本数よりも多くなる。毛の本数は、照射時間「２０分」、出力周波数「５００Ｈｚ」、および、観察時期「３０日」の条件において最も大きい値を示した。
【０１１２】
実施例における毛の太さは、比較例における毛の本数よりも太くなる。毛の太さは、照射時間「２０分」、出力周波数「５００Ｈｚ」、および、観察時期「３０日」の条件において最も大きい値を示した。
【０１１３】
実施例における毛の長さは、比較例における毛の長さよりも長くなる。毛の長さは、照射時間「２０分」、出力周波数「５００Ｈｚ」、および、観察時期「３０日」の条件において最も大きい値を示した。
【０１１４】
以上の測定結果は、体毛用光照射装置１の出力光に基づく吸収光量が、比較例光照射装置の出力光に基づく吸収光量よりも、光の照射時間の増加にともなう低下の度合が小さくなることを示唆している。すなわち、体毛用光照射装置１を用いることにより、比較例光照射装置を用いる場合よりも育毛作用が促進されやすいことを示唆している。
【０１１５】
（課題を解決するための手段に関する付記）
課題を解決するための手段は、下記の〔付記項１〕および〔付記項２〕を含む。なお、〔付記項１〕および〔付記項２〕が有する事項は、実施形態において開示された事項と対応している。
【０１１６】
〔付記項１〕
付記項１の体毛用光照射装置は、請求項１〜４のいずれか一項に記載の体毛用光照射装置において、次の事項を有している。前記出力光は、１２００ｎｍ〜１６００ｎｍの波長範囲において前記主要ピーク以外の有意なピークを有していない。
【０１１７】
〔付記項２〕
付記項２の体毛用光照射装置は、請求項１〜４、および、付記項１のいずれか一項に記載の体毛用光照射装置において、次の事項を有している。前記主要ピークは、前記主要ピークの頂点よりも短波長側に存在する前記主要ピークの基点である短波長側基点、および、前記主要ピークの頂点よりも長波長側に存在する前記主要ピークの基点である長波長側基点を有している。前記主要ピークは、前記長波長側基点と前記主要ピークの頂点とを結ぶ２点間勾配が、前記短波長側基点と前記主要ピークの頂点とを結ぶ２点間勾配よりも大きい。
【符号の説明】
【０１１８】
１…体毛用光照射装置
５０…制御部
８０…光源部
【図１】
2015051118.tif 000005
【図２】
2015051118.tif 000006
【図３】
2015051118.tif 000007
【図４】
2015051118.tif 000008